(57)【要約】【課題】デジタル複合機内に蓄積された多くの情報を公衆網やネットークに垂れ流すのではなくて、実際にアプリケーションで必要とされる最小の情報のみながす。そうすることによって、ネットワークダウンやトラフィックの過負荷等のネットワーク障害の要因にならずにすむ。【解決手段】デジタル複合機の記憶手段と、少なくとも、使用者コード、動作モードと、そのときの動作カウンタ情報を動作履歴として、前記記憶手段に記憶する、履歴蓄積手段１と、デジタル複合機内で発生したエラーコードと、発生日時と、そのときの動作カウンタ情報をエラー履歴として、前記記憶手段に記憶する、履歴蓄積手段２と、デジタル複合機内で発生したアラームコードと、発生日時と、そのときの動作カウンタ情報をアラーム履歴として、前記記憶手段に記憶する、履歴蓄積手段３と、デジタル複合機と接続されている。【選択図】　　　　図１
2004012599.tif 000002
【特許請求の範囲】
【請求項１】
デジタル複合機の記憶手段と、
少なくとも、使用者コード、動作モードと、そのときの動作カウンタ情報を動作履歴として、前記記憶手段に記憶する、履歴蓄積手段１と、
デジタル複合機内で発生したエラーコードと、発生日時と、そのときの動作カウンタ情報をエラー履歴として、前記記憶手段に記憶する、履歴蓄積手段２と、
デジタル複合機内で発生したアラームコードと、発生日時と、そのときの動作カウンタ情報をアラーム履歴として、前記記憶手段に記憶する、履歴蓄積手段３と、
デジタル複合機と接続されている、情報処理装置と、
前記情報処理装置から、前記履歴蓄積手段により蓄積されている動作履歴やエラー履歴やアラーム履歴から、特定の履歴を取得するデータ取得手段とで構成される、デジタル複合機制御システム。
【請求項２】
前記動作モードは、排紙紙サイズ、紙種、トナー色、片面／両面のいずれか、一つ以上を含む、請求項１のデジタル複合機制御システム。
【請求項３】
請求項１のデジタル複合機制御システムのデジタル複合機は、
前記情報処理装置からパケットデータで構成されるジョブを入力する入力手段と、
前記情報処理装置からジョブが投入されるデジタル複合機の機能を保持しデジタル複合機に投入されたジョブを管理するデジタル複合機制御プログラムで前記入力手段で入力したジョブを解析させた後、前記デジタル複合機の動作履歴やエラー履歴やアラーム履歴のうち特定の履歴の取得の制御手段とを有することを特徴とするデジタル複合機である、請求項１のデジタル複合機制御システム。
【請求項４】
請求項１のデジタル複合機制御システムのデジタル複合機は、
前記情報処理装置からパケットデータで構成されるジョブを入力する入力手段と、
前記情報処理装置からジョブが投入されるデジタル複合機の機能を保持しデジタル複合機に投入されたジョブを管理するデジタル複合機制御プログラムで前記入力手段で入力したジョブを解析させた後、前記デジタル複合機のデバイスエンジンの機能を保持し当該デバイスエンジンでのジョブを管理するデジタル複合機制御プログラムで前記ジョブを解析させる制御手段とを有することを特徴とするデジタル複合機である、請求項１のデジタル複合機制御システム。
【請求項５】
前記デジタル複合機の状態が変化したとき、前記デジタル複合機から、前記情報処理装置へイベント情報を送信する、請求項１のデジタル複合機制御システム。
【請求項６】
前記デジタル複合機は、プリンタである、請求項１のデジタル複合機制御システム。
【請求項７】
前記デジタル複合機は、コピー装置である、請求項１のデジタル複合機制御システム。
【請求項８】
前記デジタル複合機は、ファックス装置である、請求項１のデジタル複合機制御システム。
【請求項９】
前記デジタル複合機は、スキャナ装置である、請求項１のデジタル複合機制御システム。
【発明の詳細な説明】
【０００１】
【発明の属する技術分野】
本発明は、ネットワーク、ＩＥＥＥ　１３９４等の接続形態を介して情報処理装置から制御されるプリンタ、スキャナ、ファックス、コピー機等のデジタル複合機制御方法に関する。
【０００２】
【従来の技術】
プリンタ、スキャナ、ファックス、コピー機などのデジタル複合機、あるいは、それらの複合機に対して、動作履歴やエラー履歴やアラーム履歴を蓄積管理し、ホストコンピューター（情報処理装置）にそれらの情報を通知する機能はよく知られている。
【０００３】
【発明が解決しようとする課題】
近年は、複合機化に伴い蓄積される情報量が増大し、それらすべてをネットワーク経由でホストコンピューターに通知するとネットワーク上に多大の情報が流れ、トラフィックオーバーといったネットワーク上の弊害が発生する頻度が増大する可能性があった。
【０００４】
【課題を解決するための手段】
本発明は、上記の問題を解決する為、デジタル複合機の記憶手段と、少なくとも、使用者コード、動作モードと、そのときの動作カウンタ情報を動作履歴として、前記記憶手段に記憶する、履歴蓄積手段１と、エラーコードと、発生日時と、そのときの動作カウンタ情報をエラー履歴として、前記記憶手段に記憶する、履歴蓄積手段２と、アラームコードと、発生日時と、そのときの動作カウンタ情報をアラーム履歴として、前記記憶手段に記憶する、履歴蓄積手段３と、デジタル複合機と接続されている、情報処理装置と、前記情報処理装置から、前記履歴蓄積手段により蓄積されている動作履歴やエラー履歴やアラーム履歴から特定履歴を取得するデータ取得手段とで構成される。
【０００５】
【発明の実施の形態】
図１は本発明の実施例のデジタル複合機の一つである、スキャナ、プリンタ、コピー、ファックス一体型の複合機の構成を示すブロック図である。リーダ部１は原稿の画像を読み取り、原稿画像に応じた画像データをプリンタ部２及び画像入出力制御部３へ出力する。プリンタ部２はリーダ部１及び画像入出力制御部３からの画像データに応じた画像を記録紙上に記録する。画像入出力制御部３はリーダ部１に接続されており、ファクシミリ部４、ファイル部５、ネットワークインターフェイス部７、ＰＤ１の一種である１ＩＰＳのフォーマッタ部８、ＰＤ１の一種であるポストスクリプトのフォーマッタ部９、コア部１０などからなる。
【０００６】
ファクシミリ部４は電話回線を介して受信した圧縮画像データを伸長して、伸長された画像データをコア部１０へ転送し、又、コア部１０から転送された画像データを圧縮して、圧縮された圧縮画像データを電話回線を介して送信する。ファイル部５には光磁気ディスクドライブユニット６が接続されており、ファイル部５はコア部１０から転送された画像データを圧縮し、その画像データを検索するためのキーワードとともに光磁気ディスクドライブユニット６にセットされた光磁気ディスクに記憶させる。又、ファイル部５はコア部１０を介して転送されたキーワードに基づいて光磁気ディスクに記憶されている圧縮画像データを検索し、検索された圧縮画像データを読み出して伸長し、伸長された画像データをコア部１０へ転送する。ネットワークインターフェイス部７は、パーソナルコンピュータ又はワークステーション（ＰＣ／ＷＳ）１１とコア部１０の間のインターフェイスである。また、同様にネットワーク接続されている他のデジタル複写機１３と、コア部１０間のインターフェイスにもなっている。
【０００７】
ホストからのジョブ制御データを受信する場合、あるいは、複写機からデータをホストへ送信する場合、このネットワークインターフェース７を介して行う。
【０００８】
ジョブ制御データとして、例えば、ホストからのＰＤ１データとともに、それを展開して印字後、複写機へ１０部ステイプルソートして排紙するなどの複写機のジョブ制御命令を含む。
【０００９】
１２はネットワークサーバーであり、ネットワーク制御の中枢である。フォーマッタ部８、９はＰＣ／ＷＳ１１から転送されたＰＤ１データをプリンタ部２で記録できる画像データに展開するものである。コア部１０については後述するが、コア部１０はリーダ部１、ファクシミリ部４、ファイル部５、ネットワークインターフェイス部７、フォーマッタ部８、９のそれぞれの間のデータの流れを制御するものである。
【００１０】
図２は、本発明における画像形成装置の一例を示す断面図で、１００は複写装置本体、１８９は循環式自動原稿送り装置（ＲＤＦ）、５００は操作部である。図１におけるリーダー部１は、図２の１０１〜１０９、プリンタ部２は、図２の１１０〜１６３に対応する。
【００１１】
図２において、１０１は原稿載置台としてのプラテンガラスで、１０２はスキャナで、原稿照明ランプ１０３、走査ミラー１０４等で構成される。不図示のモータによりスキャナが所定方向に往復走査されて原稿の反射光を走査ミラー１０４〜１０６を介してレンズ１０８を透過してＣＣＤセンサ１０９に結像する。
【００１２】
１０７はレーザ、ポリゴンスキャナ等で構成された露光制御部で、イメージセンサ部１０９で電気信号に変換され、後述する所定の画像処理が行われた画像信号に基づいて変調されたレーザ光１２９を感光体ドラム１１０に照射する。
【００１３】
感光体ドラム１１０の回りには、１次帯電器１１２、現像器１２１、転写帯電器１１８、クリーニング装置１１６、前露光ランプ１１４が装備されている。画像形成部１２６において、感光体ドラム１１０は不図示のモータにより図に示す矢印の方向に回転しており、１次帯電器１１２により所望の電位に帯電された後、露光制御部１２０からのレーザ光１２９が照射され、静電潜像が形成される。感光体ドラム１１０上に形成された静電潜像は、現像器１２１により現像されて、トナー像として可視化される。一方、上段カセット１３１あるいは下段カセット１３２からピックアップローラ１３３、１３４により給紙された転写紙は、給紙ローラ１３５、１３６により本体に送られ、レジストローラ１３７により転写ベルトに給送され、可視化されたトナー像が転写帯電器１１８により転写紙に転写される。転写後の感光体ドラムは、クリーナー装置１１６により残留トナーが清掃され、前露光ランプ１１４により残留電荷が消去される。
【００１４】
転写後の転写紙は、転写ベルト１３０から分離され、定着前帯電器１３９、１４０によりトナーが像が再帯電され、定着器１４１に送られ加圧、加熱により定着され、排出ローラ１４２により本体１００の外に排出される。
【００１５】
１３８はレジストローラから送られた転写紙を転写ベルト１３０に吸着される吸着帯電器であり、１３９は転写ベルト１３０の回転に用いられると同時に、吸着帯電器１３８と対になって、転写ベルト１３０に転写紙を吸着帯電させる転写ベルトローラである。
【００１６】
本体１００には、例えば４０００枚の転写紙を収納し得るデッキ１５０が装備されている。デッキ１５０のリフタ１５１は、給紙ローラ１５２に転写紙が常に当接するように転写紙の量に応じて上昇する。また、１００枚の転写紙を収容し得る、マルチ手差し１５３が装備されている。
【００１７】
さらに、図２において、１５４は排紙フラッパであり、両面記録側ないし多重記録側と排紙側の経路を切り替える。排紙ローラ１４２から送り出された転写紙は、この排紙フラッパ１５４により両面記録側ないし多重記録側に切り替えられる。また、１５７は両面記録と多重記録の経路を切り替える多重フラッパであり、これを左方向に倒すことにより、転写紙を反転パス１５５に介さず、直接下搬送パス１５８に導く。１５９は経路１６０を通じて転写紙を感光体ドラム１２６側に給紙する給紙ローラである。１６１は排紙フラッパ１５４の近傍に配置されて、この排紙フラッパ１５４により排出側に切り替えられた転写紙を機外に排出する排出ローラである。両面記録（両面複写）時には、排紙フラッパ１５４を上方に上げて、多重フラッパ１５７を右に倒し、複写済みの転写紙を搬送パス１５５で介したあと、多重フラッパ１５７を左に倒し、搬送パス１５８を介して、裏返した状態で再給紙トレイ１５６に格納する。また多重記録（多重複写）時には、排紙フラッパ１５４を上方に上げて、多重フラッパ１５７を左に倒し、複写済みの転写紙を搬送パス１５８で介したあと、再給紙トレイ１５６に格納する。再給紙トレイ１５６に格納されている転写紙が、下から１枚ずつ給紙ローラ１５９により経路１６０を介して本体のレジストローラ１３７に導かれる。
【００１８】
本体から転写紙を反転して排出（裏面排紙）する時には、排紙フラッパ１５４を上方へ上げ、フラッパ１５７を右方向へ倒し、複写済みの転写紙を搬送パス１５５側へ搬送し、転写紙の後端が第１の送りローラ１６２を通過した後に、反転ローラ１６３によって第２の送りローラ１６２ａ側へ搬送し、排出ローラ１６１によって、転写紙を裏返して機外へ排出される。
【００１９】
図３はリーダ部１のブロック図である。ＣＣＤ２０９から出力された画像データはＡ／Ｄ・ＳＨ部２１０でアナログ／デジタル変換が行われるとともに、シェーディング補正が行われる。Ａ／Ｄ・ＳＨ部２１０によって処理された画像データは画像処理部２１１を介してプリンタ部２へ転送されるとともに、インターフェイス部２１３を介して画像入出力制御部３のコア部１０へ転送される。ＣＰＵ２１４は操作部５００で設定された設定内容に応じて画像処理部２１１及びインターフェイス２１３を制御する。例えば、操作部５００でトリミング処理を行って複写を行う複写モードが設定されている場合は、画像処理部２１１でトリミング処理を行わせてプリンタ部２へ転送させる。また、操作部５００でファクシミリ送信モードが設定されている場合は、インターフェイス２１３から画像データと設定されたモードに応じた制御コマンドをコア部１０へ転送させる。このようなＣＰＵ２１４の制御プログラムはメモリ２１６に記憶されており、ＣＰＵ２１４はメモリ２１６を参照しながら制御を行う。また、メモリ２１６はＣＰＵ２１４の作業領域としても使われる。
【００２０】
図４はコア部１０のブロック図である。リーダ部１からの画像データはデータ処理部１２１へ転送されるとともに、リーダ部１からの制御コマンドはＣＰＵ３２３へ転送される。データ処理部３２１は画像の回転処理や変倍処理などの画像処理を行うものであり、リーダ部１からデータ処理部３２１へ転送された画像データは、リーダ部１から転送された制御コマンドに応じて、インターフェイス３２０を介してファクシミリ部４、ファイル部５、ネットワークインターフェイス部７へ転送される。また、ネットワークインターフェイス部７を介して入力された画像を表すコードデータは、データ処理部３２１に転送され、そのＰＤ１が１ＩＰＳであるのかあるいはポストスクリプトであるのかを判定し、しかるべきフォーマッタ部８ないし９へ転送されて画像データに展開され、この画像データはデータ処理部３２１に転送された後、ファクシミリ部４やプリンタ部２へ転送される。ファクシミリ部４からの画像データは、データ処理部３２１へ転送された後、プリンタ部２やファイル部５、ネットワークインターフェイス部７へ転送される。また、ファイル部５からの画像データは、データ処理部１２１へ転送された後、ブリンタ部２やファクシミリ部４、ネットワークインターフェイス部７へ転送される。ＣＰＵ３２３はメモリ３２４に記憶されている制御プログラム、及びリーダ部１から転送された制御コマンドに従ってこのような制御を行う。また、メモリ３２４はＣＰＵ３２３の作業領域としても使われる。ネットワークインターフェース部７にはＭＩＢ（Ｍａｎａｇｅｍｅｎｔ　ＩｎｆｏｒｍａｔｉｏｎＢａｓｅ）と呼ばれるデーターベースが構築されており、ＳＮＭＰプロトコルを介してネットワーク上のコンピュータと通信し、プリンターの管理が可能になっている。
【００２１】
このように、コア部１０を中心に、原稿画像の読み取り、画像のプリント、画像の送受信、画像の保存、コンピュータからのデータの入出力などの機能を複合させた処理を行うことが可能である。
【００２２】
図５は画像処理部２１１の詳細構成を示すブロック図である。
【００２３】
Ａ／Ｄ・ＳＨ部２１０によってＡ／Ｄ変換され、シェーディング補正された画像は、Ｂ１ａｃｋの輝度のデータとして入力され、１ｏｇ変換部２５０に送られる。１ｏｇ変換部２５０では、入力された輝度データを濃度データに変換するための１ＵＴが格納されており、入力されたデータに対応するテーブル値を出力することによって、輝度データを濃度データに変換する。
【００２４】
その後、濃度データは２値化部２５１へ送られる。２値化部２５１では多値の濃度データが２値化され、濃度値が「０」あるいは「２５５」となる。２値化された８ｂｉｔの画像データは、「０」または「１」の１ｂｉｔの画像データに変換され、メモリに格納する画像データ量は小さくなる。
【００２５】
しかし、画像を２値化すると、画像の階調数は２５６階調から２階調になるため、写真画像のような中間調の多い画像データは２値化すると一般に画像の劣化が著しい。そこで、２値データによる擬似的な中間調表現をする必要がある。例えば、２値のデータで擬似的に中間調表現を行う手法として誤差拡散法を行なう。この方法は、ある画像の濃度がある敷居値より大きい場合は「２５５」の濃度データであるとし、ある敷居値以下である場合は「０」の濃度データであるとして２値化した後、実際の濃度データと２値化されたデータの差分を誤差信号として、回りの画素に配分する方法である。誤差の配分は、あらかじめ用意されているマトリクス上の重み係数を２値化によって生じる誤差に対して掛け合わせ、回りの画素に加算することによって行う。これによって、画像全体での濃度平均値が保存され、中間調を擬似的に２値で表現することができる。
【００２６】
２値化された画像データは、制御部２５２に送られる。また、コンピュータからのＰＤ１を展開したビットマップ画像データは、コア部１０から入力され、すでにコア部１０の、１ＩＰＳフォーマッタ部、あるいはＰＳフォーマッタ部で２値画像データとして展開されているため、そのまま制御部２５２に送られる。
【００２７】
制御部２５２では、本体からの指令により、ＲＤＦ、プラテンガラス上から読み取った原稿で、Ａ／Ｄ・ＳＨを経由した画像や、Ｉ／Ｆ２１３からのＰＤ１を展開したビットマップの画像を、画像記憶部２５５に格納したり、画像記憶部２５５から画像データを順次読み出して出力する。
【００２８】
画像記憶部２５５はＳＣＳＩコントローラ２５６とハードディスク２５７（メモリ）を有し、ＳＣＳＩコントローラからの指令に従い、ハードディスクに画像データを書き込む。例えば、ハードディスクに格納された複数の画像データは、複写機の操作部で指定された編集モードに応じた順序でプリントされる。例えば、先頭ページから送られてくるＰＤ１画像を逆順プリント、かつ電子ソートする場合、ホストから送られてくるすべてのページのＰＤ１展開後のビットマップ画像を一旦ハードディスクに格納したあと、最終ページから最初のページに向かって順にハードディスクから画像を読み込み、プリントする。そして、これを、ホストから要求された部数分繰り返し、電子ソートを実現する。
【００２９】
画像記憶部２５５から呼び出された画像データ、および、画像記憶部２５５に格納しない画像データは平滑化部２５３に送られる。平滑化部２５３では、まず１ｂｉｔのデータを８ｂｉｔのデータに変換し、画像データの信号を「０」または「２５５」の状態にする。
【００３０】
変換された画像データは、あらかじめ決められたマトリクス上の係数と、近傍画素の濃度値をそれぞれ乗算したものの総和で得られる、重みづけされた平均値に置き換えられる。これによって２値のデータは近傍の画素における濃度値に応じて多値のデータに変換され、読み取られた画像により近い画質が再現できる。平滑化された画像データは、γ補正部２５４に入力される。γ補正部２５４では濃度データを出力する際に、プリンタの特性を考慮した１ＵＴによる変換を行い、操作部で設定された濃度値に応じた出力の調整を行う。この結果、処理された画像は、プリンタ部２へ転送され、プリント出力が実行される。
【００３１】
図６は、操作部５００の液晶表示パネルに表示される、初期画面を示す説明図である。
【００３２】
この画面はタッチパネルとなっており、それぞれ表示される機能の枠内を触れることにより、その機能が実行される。
【００３３】
６００は、液晶表示パネルの初期画面であり、電源立ち上げ後、表示される。６０１は、ユーザＩＤ入力アイコンであり、ユーザは、この部分をタッチし、自分のユーザＩＤを４桁の数値で、図示しないテンキーにより入力する。６０２は、暗証番号入力アイコンであり、ユーザは、この部分をタッチし、自分のユーザＩＤに対する暗証番号を、４桁の数値で図示しないテンキーにより入力する。６０３はクリアキーであり、６０１または６０２で入力した数値を取り消したい場合、押す。６０４は、ＯＫキーであり、６０１で入力したユーザＩＤと、６０２で入力した暗証番号を確定させ、あらかじめ、複写機のメモリ２１６に記憶されている、ユーザＩＤと暗証番号の組み合わせと一致したら、複写動作を可能とし、図７の基本画面を表示する。一致しなかったら、「認証に失敗しました」等の表示をした後、図６の初期画面を表示しなおす。
【００３４】
本発明に係わる、ジョブの履歴情報として、ジョブを発生させた、このユーザＩＤが残る。それとともに、動作モードと排紙枚数を履歴として蓄積し、あとで、ホストからそれらの情報を引き取り、ユーザごとに、かつ動作モードごとに排紙枚数表を作成し、各ユーザーに料金をチャージする。
【００３５】
図７は、操作部５００の液晶表示パネルに表示される、基本画面を示す説明図である。
【００３６】
この画面はタッチパネルとなっており、それぞれ表示される機能の枠内を触れることにより、その機能が実行される。
【００３７】
拡張機能キー５０１は、このキーを押すことによって、ページ連写、両面複写、多重複写、移動、とじ代の設定、枠消し等の設定モードに入る。画像モードキー５０２は、複写画像に対して網掛け、影付け、トリミング、マスキングを行うための設定モードに入る。ユーザモードキー５０３は、ユーザ使用環境の設定、例えば、ブザーＯＮ、ＯＦＦの設定、カセットオート選択のＯＮ／ＯＦＦの設定、自動濃度調整方式の設定等が行える。
【００３８】
応用ズームキー５０４は、原稿のＸ方向、Ｙ方向を独立に変倍するモード、原稿サイズと複写サイズから変倍率を計算するズームプログラムのモードに入る。
【００３９】
Ｍ１キー５０５、Ｍ２キー５０６、Ｍ３キー５０７は、それぞれに登録されたモードメモリを呼び出す際に押すキーである。登録キー５０８は、それぞれのモードメモリに、現在のコピーモードを登録する場合に押すキーである。
【００４０】
オプションキー５０９は、フィルムから直接複写するためのフィルムプロジェクタ等のオプション機能の設定を行うキーである。さらに、お好みキーの設定を行う場合にも押す。
【００４１】
ソータキー５１０は、メカソータを使用するか、電子ソータを使用するかの設定、ソータのソート、グループ等のモード設定を行うキーである。原稿混載キー５１１は、原稿フィーダにＡ４サイズとＡ３サイズ、またはＢ５サイズとＢ４サイズの原稿を一緒にセットする際に押すキーである。
【００４２】
等倍キー５１２は、複写倍率を１００％にする際に押すキーである。縮小キー５１４、拡大キー５１５は、定型の縮小、拡大を行う際に押すキーである。ズームキー５１６は、倍率を、例えば２５〜８００％の間で設定するためのキーである。用紙選択キー５１３は、複写用紙の選択を行う際に押すキーである。濃度キー５１８、５２０は、キー５１８を押す毎に濃く複写され、キー５２０を押す毎に薄く複写される。濃度表示５１７は、濃度キーを押すと表示が左右に変化する。ＡＥキー５１９は、新聞のように地肌の濃い原稿を自動濃度調整複写するときに押すキーである。
【００４３】
ＨｉＦｉキー５２１は、写真原稿のように中間調の濃度が多い原稿の複写の際に押すキーである。文字強調キー５２２は、文字原稿の複写で文字を際だたせたい場合に押すキーである。
【００４４】
ガイドキー５２３は、あるキーの機能がわからないとき押すキーであり、そのキーの説明が表示される。
【００４５】
コピーキー５２４は、複写動作を行う場合に押すキーであり、このキーが押されたときに、図６に示す基本画面を表示する。
【００４６】
ファックスキー５５は、ファックスを行うときに押すキーである。
【００４７】
ファイルキー５２６は、ファイルデータを出力したいときに押すキーである。
【００４８】
プリンタキー４２７は、プリントの濃度を変更したり、リモートのホストからのＰＤ１画像のプリント出力結果を参照したい場合に押すキーである。
【００４９】
フォーム登録キー５４０は、ＲＤＦにセットされた原稿を、フォーム画像として、ハードディスク２５７のフォーム領域に記憶する場合に押すキーである。
【００５０】
フォーム合成キー５４１は、ハードディスク２５７のフォーム領域に記憶された、複数のフォーム画像を選択し、ＲＤＦにセットされた原稿とＯＲ合成をとり、プリントする場合に押すキーである。
【００５１】
５５０は、使用終了キーであり、コピー動作を使い終わったら押し、図６の初期画面に戻して、他の人が使えるようにする。
【００５２】
なお、ホストコンピュータからのＰＤ１プリントの場合、プリントする際、ホストの画面において、図７と同様に、ユーザＩＤと暗証番号を入力させ、ネットワーク経由で、複写機のメモリ２１６に記憶されている、ユーザＩＤと暗証番号の組み合わせと照合し、照合結果を、逆にネットワーク経由で、ホストコンピュータへ返し、ホストコンピュータは、照合ＯＫの場合、ＰＤ１データを複写機に送信し、ＮＧの場合、送信しないように制御する。
【００５３】
図８は、本発明に係わる履歴情報１の１レコードの情報を示している。７００は、１レコード情報である。情報としては、７０１に示すように、発生時刻、使用したユーザのＩＤ、紙サイズ、片面、両面等のモード、インクの色、普通紙、ＯＨＰ等の紙種、排紙枚数である。それぞれのバイト数は、７０２に示すとおりである。たとえば、この情報を１００レコード分（１５００バイト）持つ。あるユーザが、ユーザＩＤ１２３４を入力して暗証番号の認証に成功し、１９９８年１２月１０日の１３時３５分に、Ａ４サイズで、片面で、白黒コピーを普通紙で１０枚プリントしたことを示している。この情報は、プリンタ部２からの排紙信号、および、紙サイズ、モード、色、紙種等の情報を、画像処理部２１１が受け取り、ＣＰＵ２１４が、メモリ２１６に、図８のフォーマットで、履歴情報として蓄積する。
【００５４】
図９は、本発明に係わる履歴情報２の１レコードの情報を示している。８００は、１レコード情報である。情報としては、８０１に示すように、発生時刻、トータル印刷数、エラーコードである。それぞれのバイト数は、８０２に示すとおりである。たとえば、この情報を１００レコード分持つ。印刷中にエラーが発生し、２０００年１２月２５日の１３時４５分に、トータル印刷数が１４７３２５０１でプリントオーバーラン（エラーコード：３００１０）が起こっている。この情報は、プリンタ部２からのエラーコード等の情報を、画像処理部２１１が受け取り、ＣＰＵ２１４が、メモリ２１６に、図９のフォーマットで、履歴情報２として蓄積する。
【００５５】
図１０は、本発明に係わる履歴情報３の１レコードの情報を示している。９００は、１レコード情報である。情報としては、９０１に示すように、発生時刻、トータル印刷数、アラームコードである。それぞれのバイト数は、９０２に示すとおりである。たとえば、この情報を１００レコード分持つ。印刷中にアラームが発生し、２０００年１２月２３日の１４時５２分に、トータル印刷数が１４７３２１２４３で用紙交換（アラームコード：４３００）が起こっている。この情報は、プリンタ部２からのアラームコード等の情報を、画像処理部２１１が受け取り、ＣＰＵ２１４が、メモリ２１６に、図１０のフォーマットで、履歴情報３として蓄積する。
【００５６】
図１１は、ホストコンピュータから、図８の履歴情報１や図９の履歴情報２や図１０の履歴情報３の中から必要な情報を取得するようなジョブを受け取り、指定された履歴情報を送信する手順を示している。
【００５７】
Ｓ１０１では、ホストコンピュータ１１から、ネットワークインターフェース部７を経由し、コア部１０で、履歴取得ジョブのコマンドを受けたかどうかを判定する。コマンドを受けるまで、Ｓ１０１を繰り返す。コマンドを受けたら、Ｓ１０２で、ホストコンピュータから入力された、管理者のＩＤと暗証番号と、あらかじめ、メモリ２１６に記憶されている、管理者ＩＤと暗証番号の組み合わせとを照合する。照合ＯＫでないなら、コマンドを受けるまで、Ｓ１０１を繰り返す。照合ＯＫの場合、Ｓ１０３で、履歴取得ジョブのコマンドに動作履歴の要求があれば、Ｓ１０４で、メモリ２１６に蓄積されている履歴情報１をメモリ２１６の送信領域にダウンロードする。要求がなければ、Ｓ１０５で、履歴取得ジョブのコマンドにエラー履歴の要求があれば、Ｓ１０６で、メモリ２１６に蓄積されている履歴情報２をメモリ２１６の送信領域に追加ダウンロードする。要求がなければ、Ｓ１０７で、履歴取得ジョブのコマンドにアラーム履歴の要求があれば、Ｓ１０８で、メモリ２１６に蓄積されている履歴情報３をメモリ２１６の送信領域に追加ダウンロードする。Ｓ１０９で、ダウンロードした情報を、ＣＰＵ２１４、画像処理部２１１、Ｉ／Ｆ２１３、コア部１０、ネットワークインターフェース部７を介して、ホストコンピュータに送信し、ホストコンピュータから、今送った履歴情報を正しく受け取ったかのＯＫリプライを受けたかを、ＣＰＵ３２３が判断し、ＮＧなら、Ｓ１０３を繰り返す。ＯＫなら、履歴取得ジョブのコマンドをクリアする。Ｓ１１０において、ＣＰＵ３２１は、終了コマンドを、ネットワークインターフェース部７を介して、ホストコンピュータに返す。
【００５８】
【発明の効果】
デジタル複合機側で、少なくとも、使用者コード、動作モードと、そのときの動作カウンタ情報を動作履歴として、記憶手段に記憶する、履歴蓄積手段１と、エラーコードと、発生日時と、そのときの動作カウンタ情報をエラー履歴として、記憶手段に記憶する、履歴蓄積手段２と、アラームコードと、発生日時と、そのときの動作カウンタ情報をアラーム履歴として、記憶手段に記憶する、履歴蓄積手段３を有している場合、そのすべてをネットワーク経由で、ホストコンピュータに送付すると、膨大なデータ量になる。そこで、本発明によると、ホスト側で必要とされる履歴情報のみを選択して送付することで、ネットワークの負担を軽減できるという効果がある。
【図面の簡単な説明】
【図１】本発明に係るデジタル複合機制御システムの全体を示す構成図である。
【図２】図１の複合機１００の概略構成を示す断面図である。
【図３】図１のリーダ部１の構成を示すブロック図である。
【図４】図１のコア部１０の構成を示すブロック図である。
【図５】図３の画像処理部２１１の詳細な構成を示すブロック図である。
【図６】図１の複合機１００の操作部５００上の液晶表示パネルに表示される初期画面を示し説明図である。
【図７】図６の初期画面においてユーザＩＤ及び暗証番号の認証後に表示される基本画面を示す説明図である。
【図８】図１の複合機１００が記憶する履歴情報１の１レコードを示す概略図である。
【図９】図１の複合機１００が記憶する履歴情報２の１レコードを示す概略図である。
【図１０】図１の複合機１００が記憶する履歴情報３の１レコードを示す概略図である。
【図１１】図１の複合機１００における履歴情報１、履歴情報２、履歴情報３の送信手順を示すフローチャートである。
【符号の説明】
１　リーダ部
２　プリンタ部
３　画像入出力制御部
７　ネットワークインターフェース部
１０　コア部
１１　ホストコンピュータ
１００　複合機
２１１　画像処理部
２１４，３２３　ＣＰＵ
２１６，３２４　メモリ
５００　操作部
【図１】
2004012599.tif 000003
【図２】
2004012599.tif 000004
【図３】
2004012599.tif 000005
【図４】
2004012599.tif 000006
【図５】
2004012599.tif 000007
【図６】
2004012599.tif 000008
【図７】
2004012599.tif 000009
【図８】
2004012599.tif 000010
【図９】
2004012599.tif 000011
【図１０】
2004012599.tif 000012
【図１１】
2004012599.tif 000013